(57)【要約】本発明に係る二次電池は、電極とセパレータが交互に積層されて形成される電極組立体と、前記電極組立体を内部に収容する電池ケースとを含み、前記電池ケースは、上部に段差をもって形成された段差部が形成され、前記電池ケースの外側面がシールされて折り畳まれた折り畳み部が前記段差部の外側面に載置され、前記電極組立体には、前記電池ケースに形成された前記段差部の内側面に対応する形態で段差をもって形成された段差突部が形成される。
2019507468.tif 000002
【特許請求の範囲】
【請求項１】
電極とセパレータが交互に積層されて形成される電極組立体と、
前記電極組立体を内部に収容する電池ケースとを含み、
前記電池ケースには、段差をもって形成された段差部が形成され、
前記電池ケースの外側面がシールされて折り畳まれた折り畳み部が前記段差部の外側面に載置され、
前記電極組立体には、前記電池ケースに形成された前記段差部の内側面に対応する形態で段差をもって形成された段差突部が形成される、二次電池。
【請求項２】
前記段差部は、外側面が前記折り畳み部と対応する形態で段差をもって形成される、請求項１に記載の二次電池。
【請求項３】
前記電池ケースの前記段差部は、前記電池ケースの上側の側部に形成され、
前記電極組立体の前記段差突部は、前記電極組立体の上側の側部に形成され、
前記電極組立体は、上端に位置した前記電極および前記セパレータの幅が前記電池ケースの前記段差部に対応するように狭く形成される、請求項１に記載の二次電池。
【請求項４】
前記電極組立体の周縁に沿って形成される前記段差突部の外側面は、前記電池ケースの前記段差部の内側面と対応する形態で形成され、
前記電極組立体の前記段差突部の外側面と前記電池ケースの前記段差部の内側面は密着するように設けられる、請求項３に記載の二次電池。
【請求項５】
前記折り畳み部は、前記段差部の外側面にテープまたは接着剤により貼り付けられる、請求項１に記載の二次電池。
【請求項６】
前記折り畳み部には、折り曲げられた折り曲げ部が形成され、
前記電池ケースの外側面は、前記折り曲げ部以外の部分がシールされて折り畳まれている、請求項１に記載の二次電池。
【請求項７】
前記折り畳み部の前記折り曲げ部以外の部分が、前記段差部の外側面に熱融着されて固定されている、請求項６に記載の二次電池。
【請求項８】
前記電池ケースは、前記電極組立体を収容する収容部が形成された下部ケースと、前記収容部を覆う上部ケースとを含み、
前記上部ケースと前記下部ケースの外側面は、同時に折り畳まれて前記折り畳み部を形成し、前記段差部に載置される、請求項７に記載の二次電池。
【請求項９】
前記段差部の段差高さは、前記折り畳み部の高さに対応する、請求項１に記載の二次電池。
【請求項１０】
前記折り畳み部は、２段に折り畳まれ、第１の折り曲げ部および第２の折り曲げ部が順次形成されている、請求項１から９のいずれか１項に記載の二次電池。
【請求項１１】
前記段差部の上端に前記折り畳み部の方向に突出形成され、前記折り畳み部の端部が前記段差部から離脱しないように受け止める係止突部が形成されている、請求項１０に記載の二次電池。
【請求項１２】
前記係止突部は、ラウンド（Ｒｏｕｎｄ）状に形成され、前記折り畳み部の端部に位置する前記第２の折り曲げ部が前記段差部から離脱しないように前記係止突部に結合している、請求項１１に記載の二次電池。
【請求項１３】
前記電池ケースの前記段差部は、前記電池ケースの上側の側部に形成された第１の段差部と、前記電池ケースの下側の後端部に形成された第２の段差部とを含み、
前記電極組立体の前記段差突部は、前記電極組立体の上側の側部に形成された第１の段差突部と、前記電極組立体の下側の後端部に形成された第２の段差突部とを含む、請求項１に記載の二次電池。
【請求項１４】
前記電極組立体の上側の側部は、前記第１の段差部に対応する形態で形成され、
前記電極組立体の下側の後端部は、前記第２の段差部に対応する形態で形成される、請求項１３に記載の二次電池。
【請求項１５】
前記折り畳み部は、
前記電池ケースの第１の段差部に載置されるように１次折り畳まれた第１の折り畳み部と、
前記電池ケースの後端面と対面するように２次折り畳まれた第２の折り畳み部と、
前記電池ケースの第２の段差部に載置されるように３次折り畳まれた第３の折り畳み部とを含む、請求項１３に記載の二次電池。
【請求項１６】
前記電池ケースの前記段差部は、前記電池ケースの下側の後端部に形成され、
前記電極組立体の前記段差突部は、前記電極組立体の下側の後端部に形成される、請求項１に記載の二次電池。
【請求項１７】
前記折り畳み部は、
前記電池ケースの後端面と対面するように１次折り畳まれた第１の折り畳み部と、
前記電池ケースの前記段差部に載置されるように２次折り畳まれた第２の折り畳み部とを含む、請求項１６に記載の二次電池。
【発明の詳細な説明】
【技術分野】
【０００１】
本出願は、２０１６年９月１９日付けの韓国特許出願第２０１６‐０１１９１４６号および２０１７年９月１３日付けの韓国特許出願第２０１７‐０１１７３２０号に基づく優先権の利益を主張し、該当韓国特許出願の文献に開示されている全ての内容は、本明細書の一部として組み込まれる。
【０００２】
本発明は、二次電池に関する。
【背景技術】
【０００３】
二次電池は、一次電池とは異なり、再充電が可能で、また、小型化および大容量化の可能性により、近年、頻繁に研究開発されている。モバイル機器に対する技術開発と需要の増加に伴い、エネルギー源としての二次電池の需要が急激に増加している。
【０００４】
二次電池は、電池ケースの形状に応じて、コイン型電池と、円筒型電池と、角型電池と、パウチ型電池とに分けられる。二次電池において、電池ケースの内部に装着される電極組立体は、電極およびセパレータの積層構造からなる充放電が可能な発電素子である。
【０００５】
電極組立体は、概ね、活物質が塗布されたシート状の正極と負極との間にセパレータを介在して巻き取ったゼリーロール（Ｊｅｌｌｙ‐ｒｏｌｌ）型と、多数の正極と負極をセパレータが介在された状態で順次積層したスタック型と、スタック型の単位セルを長さの長い分離フィルムで巻き取ったスタック／折り畳み型とに分けられる。
【０００６】
近年、スタック型またはスタック／折り畳み型電極組立体をアルミニウムラミネートシートのパウチ型電池ケースに内蔵した構造のパウチ型電池が、低い製造コスト、小さい重量、容易な形態変形などを理由として、高い関心を集めており、またその使用量が次第に増加している。
【発明の概要】
【発明が解決しようとする課題】
【０００７】
本発明の一つの観点は、シール部分が折り畳まれた折り畳み部が収納可能な形態で電池ケースを形成することで、エネルギー密度を増大することができる二次電池を提供することを目的とする。
【０００８】
また、本発明の他の観点は、電池ケースの折り畳み部に絶縁損傷が生じることを防止することができる二次電池を提供することを目的とする。
【課題を解決するための手段】
【０００９】
本発明の実施形態による二次電池は、電極とセパレータが交互に積層されて形成される電極組立体と、前記電極組立体を内部に収容する電池ケースとを含み、前記電池ケースは、上部に段差をもって形成された段差部が形成され、前記電池ケースの外側面がシールされて折り畳まれた折り畳み部が前記段差部の外側面に載置され、前記電極組立体には、前記電池ケースに形成された前記段差部の内側面に対応する形態で段差をもって形成された段差突部が形成されてもよい。
【発明の効果】
【００１０】
本発明によると、電池ケースに段差部が形成されることで、電池ケースのシール部分が折り畳まれた折り畳み部が段差部の外側に載置されて収納され、電池ケースの内側に電池ケースの段差部に対応するように電極組立体が形成され、エネルギー密度を最大限に確保することができる。
【００１１】
また、本発明によると、電池ケースの折り畳み部で折り曲げ部以外の部分をシールすることで、折り曲げ部のシール箇所で亀裂による絶縁損傷が生じることを防止することができる。
【００１２】
さらに、本発明によると、電池ケースの折り畳み部が載置される上端に係止突部を備えることで、折り畳み部の端部が係止突部により離脱せず、折り畳み部の結合が解除されないように強固な固定をすることができる。
【図面の簡単な説明】
【００１３】
【図１】本発明の第１の実施形態による二次電池を示す正面図である。
【図２】図１に図示されているＡ領域を透視して示す概念図である。
【図３】本発明の第１の実施形態による二次電池において電極組立体を示す正面図である。
【図４】本発明の第１の実施形態による二次電池を示す斜視図である。
【図５】本発明の第１の実施形態による電極組立体を示す斜視図である。
【図６】本発明の第２の実施形態による二次電池を示す要部断面図である。
【図７】本発明の第３の実施形態による二次電池を示す斜視図である。
【図８】本発明の第３の実施形態による二次電池を示す側面図である。
【図９】図８に図示されているＢ領域を透視して示す概念図である。
【図１０】本発明の第３の実施形態による電極組立体を示す斜視図である。
【図１１】本発明の第４の実施形態による二次電池を示す底部の斜視図である。
【図１２】本発明の第４の実施形態による二次電池を示す側面図である。
【図１３】本発明の第４の実施形態による電極組立体を示す斜視図である。
【発明を実施するための形態】
【００１４】
本発明の目的、特定の利点および新規の特徴は、添付の図面と関連する以下の詳細な説明と好ましい実施形態からより明らかになる。本明細書において、各図面の構成要素に参照番号を付けるに際し、同じ構成要素に限り、仮に他の図面上に示されても、できるだけ同じ番号を付けるようにしていることに留意すべきである。また、本発明は、様々な相違する形態に実現してもよく、ここで説明する実施形態に限定されない。また、本発明を説明するに際し、本発明の要旨を不明瞭にし得る関連の公知技術に関する詳細な説明は省略する。
【００１５】
図１は本発明の第１の実施形態による二次電池を示す正面図であり、図２は図１に図示されているＡ領域を透視して示す概念図である。
【００１６】
図１および図２を参照すると、本発明の第１の実施形態による二次電池１００は、電極組立体１１０と、電極組立体１１０を収容する電池ケース１２０とを含み、電池ケース１２０には、段差部１２４および折り畳み部１２５が形成される。
【００１７】
以下、図１および図３を参照して、本発明の第１の実施形態である二次電池についてより詳細に説明する。
【００１８】
図１および図２を参照すると、電池ケース１２０は、上部ケース１２２と、下部ケース１２１とを含み、電極組立体１１０および電解液を内部に収容することができる。
【００１９】
下部ケース１２１には、電極組立体１１０および電解液が収容される収容部１２３が形成され、上部ケース１２２は、収容部１２３の開口部分を覆うように設けられ得る。ここで、上部ケース１２２と下部ケース１２１の外側面は、同時にシール（Ｓｅａｌｉｎｇ）および折り畳まれて（Ｆｏｄｉｎｇ）折り畳み部１２５を形成し、段差部１２４に載置され得る。
【００２０】
段差部１２４は、電池ケース１２０の上部に段差をもって形成され得る。この際、段差部１２４は、電池ケース１２０の上側の側部に形成されてもよい。
【００２１】
また、段差部１２４は、外側面が折り畳み部１２５と対応する形態で段差をもって形成されてもよい。
【００２２】
折り畳み部１２５は、電池ケース１２０の外側面のシール部分が折り畳まれて形成され、折り畳みのときに折り曲げられた折り曲げ部１２５ａが形成されてもよい。ここで、電池ケース１２０の外側面は、折り曲げ部１２５ａを除き、シールされて折り畳まれ得る。これにより、電池ケース１２０の外周面のシール箇所を折り畳むウィング折り畳み（Ｗｉｎｇｆｏｌｄｉｎｇ）の過程で折り曲げ部１２５ａのシール部分に亀裂などによる絶縁損傷が生じることを防止することができる。特に、電池ケース１２０がポリマーを含み、ラミネートシートからなるときに、折り曲げ部１２５ａのシール箇所で折り曲げられて硬化されたポリマー層の亀裂による絶縁損傷が生じることを防止することができる。
【００２３】
また、折り畳み部１２５は、段差部１２４の外側面に載置され収納され得る。
【００２４】
なお、折り畳み部１２５は、一例として、段差部１２４の外側面にテープまたは接着剤により貼り付けられてもよい。
【００２５】
また、折り畳み部１２５は、他の例として、段差部１２４の外側面に熱融着により固定されてもよい。この際、折り畳み部１２５は、折り曲げ部１２５ａ以外の部分が段差部１２４に熱融着され固定されてもよい。
【００２６】
図３は本発明の第１の実施形態による二次電池において電極組立体を示す正面図である。
【００２７】
図２および図３を参照すると、電極組立体１１０は、充放電が可能な発電素子として、電極１１３とセパレータ１１４が集まって交互に積層された構造を形成する。
【００２８】
電極１１３は、正極１１１および負極１１２から構成されてもよい。この際、電極組立体１１０は、正極１１１／セパレータ１１４／負極１１２が交互に積層された構造からなり得る。
【００２９】
セパレータ１１４は、絶縁材質からなり、正極１１１と負極１１２とを電気的に絶縁する。ここで、セパレータ１１４は、例えば、微多孔性を有するポリエチレン、ポリプロピレンなど、ポリオレフィン系樹脂膜で形成されてもよい。
【００３０】
また、電極組立体１１０は、上部に、電池ケース１２０の段差部１２４の内側面に対応する形態で段差突部１１５が形成される。ここで、段差突部１１５は、電極組立体１１０の上側の側部に形成され得る。
【００３１】
また、段差突部１１５の段差高さｈ１は、段差部１２４の段差高さｈ２に対応し得る。
【００３２】
なお、電極組立体１１０は、上端に位置した電極１１３およびセパレータ１１４の幅ｗ１が、電池ケース１２０の段差部１２４に対応するように、電極組立体１１０の全幅ｗ２より狭く形成され得る。
【００３３】
一方、電極組立体１１０の周縁に沿って形成される外側面は、電池ケース１２０の内側面と対応する形態で形成され得る。この際、電極組立体１１０の外側面と電池ケース１２０の内側面は密着するように設けられ得る。
【００３４】
一方、セル（Ｃｅｌｌ）の体積当たりエネルギー密度の増加分は、以下の数学式１から求めることができる。
【００３５】
【数１】
2019507468.tif 000003
【００３６】
Ｄ：体積当たりエネルギー密度の増加分
Ｌ：セル（Ｃｅｌｌ）の正極の高さ
Ｗ：セルの正極の幅
Ｓ：ｍｏｎｏｃｅｌｌ（ｓｔａｃｋ）の数
Ａ：従来の折り畳み構造によるセル面積の損失幅
Ｂ：本発明の第１の実施形態による二次電池の構造による最上層の正極の損失幅
【００３７】
ここで、例えば、Ｌを２５０ｍｍ、Ｗを１００ｍｍ、Ｓを２９、Ａを２．８ｍｍ、Ｂを１４ｍｍとすると、体積当たりエネルギー密度の増加分Ｄは、［{（２５０＊２．８＊２９）−（２５０＊１４＊１）}／（２５０＊１００＊２９）］＝０．０２３＝２．３（％）であることが分かる。したがって、本発明の第１の実施形態による二次電池の電極組立体１１０は、エネルギー密度が増加することが分かる。
【００３８】
つまり、本発明の第１の実施形態による二次電池１００は、電池ケース１２０の上部の側面に段差部１２４が形成されて折り畳み部１２５が収納され、これに対応するように、電極組立体１１０の上端側に位置した一部の単位セルの幅のみ減少させた構造であり、従来の電池ケースの側面に折り畳み部が形成されて、電極組立体の幅が全体的に減少した構造より体積当たりエネルギー密度が増加することが分かる。すなわち、従来の折り畳み部を電池ケースの側面に折り畳み、電極組立体の側面の幅が全体的に減少する形態よりも、本発明の折り畳み部１２５を電池ケース１２０の上部の側面に形成された段差部１２４に収納して、電極組立体１１０の上端の幅のみを減少させる構造が、体積当たりエネルギー密度を増加させることが分かる。
【００３９】
図４は本発明の第１の実施形態による二次電池を示す斜視図であり、図５は本発明の第１の実施形態による電極組立体を示す斜視図である。
【００４０】
図４および図５を参照すると、本発明の第１の実施形態による二次電池１００は、電極組立体１１０に電気的に連結され、電池ケース１２０の外側に突出するように延びた電極リード１４０、１５０をさらに含んでもよい。
【００４１】
電極リード１４０、１５０は、電極組立体１１０において正極１１１と電気的に連結された正極リード１４０と、負極１１２と電気的に連結された負極リード１５０とを含んでもよい。
【００４２】
ここで、例えば、正極リード１４０は、電池ケース１２０の前端に突出し、負極リード１５０は、電池ケース１２０の後端に突出してもよい。
【００４３】
図６は本発明の第２の実施形態による二次電池を示す要部断面図である。
【００４４】
図６を参照すると、本発明の第２の実施形態による二次電池２００は、電極組立体１１０と、電池ケース２２０とを含み、電池ケース２２０は、段差部２２４と、折り畳み部２２５とを含む。この際、電池ケース２２０は、上部ケース２２２と、下部ケース２２１とを含んで形成され、段差部２２４と、折り畳み部２２５と、係止突部２２６とを含んでもよい。
【００４５】
本発明の第２の実施形態による二次電池２００は、上述の第１の実施形態による二次電池１００と比較して、電池ケース２２０の折り畳み部２２５が２段に折り畳まれ、電池ケース２２０に係止突部２２６をさらに形成されるという差がある。したがって、本実施形態では、第１の実施形態と重複する内容は簡略に記述し、差を中心に記述する。
【００４６】
より詳細には、折り畳み部２２５は、電池ケース２２０の外側部の先端から２段に折り畳まれ、第１の折り曲げ部２２５ａおよび第２の折り曲げ部２２５ｂが順次形成され得る。
【００４７】
係止突部２２６は、電池ケース２２０の段差部２２４の上端から折り畳み部２２５の方向に突出して、折り畳み部２２５の端部を、該端部が段差部２２４から離脱しないように受け止めている。
【００４８】
また、係止突部２２６は、ラウンド（Ｒｏｕｎｄ）状に形成され、折り畳み部２２５の端部に位置する第２の折り曲げ部２２５ｂが段差部２２４から離脱しないように係止突部２２６に結合され得る。
【００４９】
ここで、係止突部２２６は、電池ケース２２０の段差部２２４の最上端に形成され、該係止突部２２６が折り畳み部２２５の第２の折り曲げ部２２５ｂに圧入することで、該折り畳み部２２５が段差部２２４から離脱するのを防いでいる。この際、第２の折り曲げ部２２５ｂは、ラウンド状に折り曲げられ得る。
【００５０】
一方、段差部２２４の段差高さｈ２’は、折り畳み部１２５の高さｈ３に対応することができる。
【００５１】
図７は本発明の第３の実施形態による二次電池を示す斜視図であり、図８は本発明の第３の実施形態による二次電池を示す側面図である。
【００５２】
また、図９は図８に図示されているＢ領域を透視して示す概念図であり、図１０は本発明の第３の実施形態による電極組立体を示す斜視図である。
【００５３】
図７〜図１０を参照すると、本発明の第３の実施形態による二次電池３００は、電極組立体３１０と、電池ケース３２０とを含み、電池ケース３２０は、段差部３２４と、折り畳み部３２５とを含み、電極組立体３１０は、段差突部３１５を含む。
【００５４】
本発明の第３の実施形態による二次電池３００は、上述の第１の実施形態による二次電池１００および他の実施形態による二次電池２００と比較して、電池ケース３２０の段差部３２４および電極組立体３１０の段差突部３１５が形成されている点において差がある。
【００５５】
したがって、本実施形態では、第１の実施形態および他の実施形態と重複する内容は簡略に記述し、差を中心に記述する。
【００５６】
より詳細には、図７〜図１０を参照すると、本発明の第３の実施形態による二次電池３００において電池ケース３２０に形成された段差部３２４は、第１の段差部３２４ａと、第２の段差部３２４ｂとを含んでもよい。ここで、例えば、第１の段差部３２４ａは、電池ケース３２０の上側の側部に形成され、第２の段差部３２４ｂは、電池ケース３２０の下側の後端部に形成されてもよい。
【００５７】
また、電極組立体３１０に形成された段差突部３１５は、第１の段差突部３１５ａと、第２の段差突部３１５ｂとを含んでもよい。ここで、例えば、第１の段差突部３１５ａは、電極組立体３１０の上側の側部に形成され、第２の段差突部３１５ｂは、電極組立体３１０の下側の後端部に形成されてもよい。
【００５８】
一方、電極組立体３１０の上側の側部は、第１の段差部３２４ａに対応する形態で形成され、電極組立体３１０の下側の後端部は、第２の段差部３２４ｂに対応する形態で形成されてもよい。
【００５９】
折り畳み部３２５は、電池ケース３２０の第１の段差部３２４ａに載置されるように１次折り畳まれた第１の折り畳み部３２５aと、電池ケース３２０の後端面と対面するように２次折り畳まれた第２の折り畳み部３２５ｂと、電池ケース３２０の第２の段差部３２４ｂに載置されるように３次折り畳まれた第３の折り畳み部３２５ｃとを含んでもよい。
【００６０】
本発明の第３の実施形態による二次電池３００は、電極組立体３１０に電気的に連結され、電池ケース３２０の外側に突出するように延びた電極リード３４０、３５０をさらに含んでもよい。
【００６１】
電極リード３４０、３５０は、電極組立体３１０において正極１１１と電気的に連結された正極リード３４０と、負極１１２と電気的に連結された負極リード３５０とを含んでもよい。
【００６２】
ここで、例えば、正極リード３４０および負極リード３５０は、電池ケース３２０の先端に突出してもよい。
【００６３】
前記のように構成された、本発明の第３の実施形態による二次電池３００は、電極リード３４０、３５０が電池ケース３２０の一側に設けられるときに、電池ケース３２０の上側の側部に第１の折り畳み部３２５ａが収納される第１の段差部３２４ａを形成し、これに加え、電池ケース３２０の下側の後端部に第３の折り畳み部３２５ｃが収納される第２の段差部３２４ｂをさらに形成してもよい。この際、電極組立体３１０は、電池ケース３２０の内側に対応する形態で形成し、二次電池３００のエネルギー密度をより最大限に確保することができる。
【００６４】
図１１は本発明の第４の実施形態による二次電池を示す底部の斜視図であり、図１２は本発明の第４の実施形態による二次電池を示す側面図であり、図１３は本発明の第４の実施形態による電極組立体を示す斜視図である。
【００６５】
図１１〜図１３を参照すると、本発明の第４の実施形態による二次電池４００は、電極組立体４１０と、電池ケース４２０とを含み、電池ケース４２０は、段差部４２４と、折り畳み部４２５とを含み、電極組立体４１０は、段差突部４１５を含む。
【００６６】
本発明の第４の実施形態による二次電池４００は、上述の第１の実施形態による二次電池１００と、第２の実施形態による二次電池２００および第３の実施形態による二次電池３００と比較して、電池ケース４２０の段差部４２４および電極組立体４１０の段差突部４１５が形成されている点において差がある。
【００６７】
したがって、本実施形態では、第１の実施形態〜第３の実施形態と重複する内容は簡略に記述し、差を中心に記述する。
【００６８】
より詳細には、図１０〜図１２を参照すると、本発明の第４の実施形態による二次電池４００において電池ケース４２０に形成された段差部４２４は、電池ケース４２０の下側の後端部に形成されてもよい。
【００６９】
また、電極組立体４１０に形成された段差突部４１５は、電極組立体４１０の下側の後端部に形成されてもよい。
【００７０】
一方、電極組立体４１０の下側の後端部は、電池ケース４２０の下側の後端部に形成された段差部４２４に対応する形態で形成されてもよい。
【００７１】
折り畳み部４２５は、電池ケース４２０の後端面と対面するように１次折り畳まれた第１の折り畳み部４２５ａと、電池ケース４２０の段差部４２４に載置されるように２次折り畳まれた第２の折り畳み部４２５ｂとを含んでもよい。
【００７２】
本発明の第４の実施形態による二次電池４００は、電極組立体４１０に電気的に連結され、電池ケース４２０の外側に突出するように延びた電極リード４４０、４５０をさらに含んでもよい。
【００７３】
前記のように構成された、本発明の第４の実施形態による二次電池４００は、電極リード４４０、４５０が電池ケース４２０の先端に位置するときに、電池ケース４２０の下側の後端部に第２の折り畳み部４２５ｂが収納される段差部４２４を形成してもよい。この際、電極組立体４１０は、電池ケース４２０の内側に対応する形態で形成し、二次電池４００のエネルギー密度をより最大限に確保することができる。
【００７４】
以上、本発明について具体的な実施形態により詳細に説明したが、これは、本発明を具体的に説明するためのものであって、本発明に係る二次電池はこれに限定されない。本発明の技術的思想内で当該分野において通常の知識を有する者により様々な実施が可能であると言える。
【００７５】
また、発明の具体的な保護範囲は、添付の特許請求の範囲により明確になる。
【図１】
2019507468.tif 000004
【図２】
2019507468.tif 000005
【図３】
2019507468.tif 000006
【図４】
2019507468.tif 000007
【図５】
2019507468.tif 000008
【図６】
2019507468.tif 000009
【図７】
2019507468.tif 000010
【図８】
2019507468.tif 000011
【図９】
2019507468.tif 000012
【図１０】
2019507468.tif 000013
【図１１】
2019507468.tif 000014
【図１２】
2019507468.tif 000015
【図１３】
2019507468.tif 000016
【国際調査報告】
2019507468.tif 000017
2019507468.tif 000018
2019507468.tif 000019
2019507468.tif 000020